(57)【要約】【課題】光導入のための空間によって上階床面積が狭まるのを極力回避できるとともに、上階部屋から上階窓の開け閉めが行える建物の採光構造を提供する。【解決手段】建物の採光構造は、建物の外壁１から離間して設けられた上階床２と、上記上階床２の上部に位置し、上記外壁１から離間して設けられた室内壁２０２ａと、上記室内壁２０２ａに対向する上記外壁１の箇所に設けられた窓３と、を備えており、上記窓３から入射した自然光が、上記外壁１と上記上階床２の端部２２と上記室内壁２０２ａとによって形成される空間４を通って間接的に下階２０１に導かれる【選択図】図１
2016108753.tif 000002
【特許請求の範囲】
【請求項１】
建物の外壁から離間して設けられた上階床と、上記上階床の上部に位置し、上記外壁から離間して設けられた室内壁と、上記室内壁に対向する上記外壁の箇所に設けられた窓と、を備えており、上記窓から入射した光が、上記外壁と上記上階床の端部と上記室内壁とによって形成される空間を通るときに光反射面に反射して間接的に下階に導かれることを特徴とする建物の採光構造。
【請求項２】
請求項１に記載の建物の採光構造において、上記室内壁の上端部と上記外壁との間の開口部を覆う覆い部材が設けられていることを特徴とする建物の採光構造。
【請求項３】
請求項２に記載の建物の採光構造において、上記覆い部材がデスク天板であることを特徴とする建物の採光構造。
【請求項４】
請求項２に記載の建物の採光構造において、上記覆い部材がベッドヘッドであることを特徴とする建物の採光構造。
【請求項５】
請求項２〜請求項４のいずれか１項に記載の建物の採光構造において、上記窓から入射した光の少なくとも一部を透過させる光透過部が、上記覆い部材に形成されていることを特徴とする建物の採光構造。
【請求項６】
請求項１〜請求項５のいずれか１項に記載の建物の採光構造において、上記窓から入射した光の少なくとも一部を透過させる光透過部が、上記室内壁に形成されていることを特徴とする建物の採光構造。
【請求項７】
請求項１〜請求項６のいずれか１項に記載の建物の採光構造において、上記空間に光反射部材が設けられていることを特徴とする建物の採光構造。
【請求項８】
請求項１〜請求項７のいずれか１項に記載の建物の採光構造において、上記上階床の端部の下側の角または当該端部の下面或いは側面が丸みを帯びた形状を有することを特徴とする建物の採光構造。
【請求項９】
請求項１〜請求項８のいずれか１項に記載の建物の採光構造において、上記空間内に光を照射する照明を備えることを特徴とする建物の採光構造。
【請求項１０】
請求項１〜請求項９のいずれか１項に記載の建物の採光構造において、上記窓が開閉可能であることを特徴とする建物の採光構造。
【発明の詳細な説明】
【技術分野】
【０００１】
この発明は、光を建物屋内に取り込む建物の採光構造に関する。
【背景技術】
【０００２】
特許文献１には、吹き抜けによって２階部屋と外壁とが分離された構造が開示されている。このような構造を利用し、上記外壁に設けられた２階窓から自然光が１階室内に導かれるように、上記２階窓を南側等に向けて、建物を建てることが可能である。
【先行技術文献】
【特許文献】
【０００３】
【特許文献１】特許第５２９５８７２号
【発明の概要】
【発明が解決しようとする課題】
【０００４】
しかしながら、上記建物では、上記吹き抜けによって２階床面積が大きく狭められるという欠点がある。
【０００５】
この発明は、上記の事情に鑑み、自然光導入のための空間によって上階床面積が狭まるのを極力回避できる建物の採光構造を提供することを課題とする。
【課題を解決するための手段】
【０００６】
この発明の建物の採光構造は、上記の課題を解決するために、建物の外壁から離間して設けられた上階床と、上記上階床の上部に位置し、上記外壁から離間して設けられた室内壁と、上記室内壁に対向する上記外壁の箇所に設けられた窓と、を備えており、上記窓から入射した光が、上記外壁と上記上階床の端部と上記室内壁とによって形成される空間を通るときに光反射面に反射して間接的に下階に導かれることを特徴とする。
【０００７】
上記の構成であれば、上記窓から入射した光が、上記空間を通って間接的に下階に導かれればよいので、上記空間を形成する上記外壁と上記上階床の端部との間および上記外壁と上記室内壁との間を狭くすることが可能である。したがって、光導入のための上記空間を形成しつつ上階床面積を極力広くすることが可能になる。
【０００８】
上記室内壁の上端部と上記外壁との間の開口部を覆う覆い部材が設けられていてもよい。これによれば、上記覆い部材を、上階部屋を構成する家具部材等として利用することができる。
【０００９】
上記覆い部材がデスク天板をなしてもよい。また、上記覆い部材がベッドヘッドをなしてもよい。
【００１０】
上記窓から入射した光の少なくとも一部を透過させる光透過部が、上記覆い部材に形成されていてもよい。これによれば、上記窓から入射した光の一部が上記光透過部を透過することで、光を上階に導くことが可能になる。
【００１１】
上記窓から入射した光の少なくとも一部を透過させる光透過部が、上記室内壁に形成されていてもよい。これによれば、上記窓から入射した光の一部が上記光透過部を透過することで、光を上階に導くことが可能になる。
【００１２】
上記空間に光反射部材が設けられていてもよい。これによれば、上記光反射部材によって自然光の反射回数を増やし、より柔らかい光による間接照明を行うことが可能になる。また、下階から上記空間を見上げたときに、当該空間内を上記光反射部材によって見えにくくすることが可能である。また、上記光反射部材を可動に設けると、下階或いは上階へ導かれる光量を調整することが可能になる。
【００１３】
上記上階床の端部の下側の角または当該端部の下面或いは側面が丸みを帯びた形状を有していてもよい。これによれば、上記丸みを帯びた形状によって上記窓から入射した光が広がるため、下階の床上等に光の明暗領域がくっきりと出来てしまうのを防止することができる。
【００１４】
上記空間内に光を照射する照明を備えていてもよい。これによれば、上記空間内に光を照射することで下階を間接的に照明することができる。
【００１５】
上記窓が開閉可能であってもよい。これによれば、上記窓を開けて下階の換気を行うことができる。
【発明の効果】
【００１６】
本発明であれば、光導入のための空間によって上階床面積が狭まるのを極力回避することができる等の諸効果を奏する。
【図面の簡単な説明】
【００１７】
【図１】実施形態の建物の採光構造の概略構成を示した説明図である。
【図２】同図（Ａ）は他の実施形態の建物の採光構造の概略構成を示した説明図であり、同図（Ｂ）は他の実施形態の建物の採光構造の概略構成を示した説明図である。
【図３】他の実施形態の建物の採光構造の概略構成を示した説明図である。
【発明を実施するための形態】
【００１８】
以下、この発明の一態様に係る実施形態を添付図面に基づいて説明する。
図１に示すように、この実施形態の建物の採光構造は、建物の外壁１から離間して設けられた上階床２と、上記上階床２の上部に設けられ、上記外壁１から離間している室内壁２０２ａと、上記室内壁２０２ａに対向する上記外壁１の箇所に設けられた滑り出し型の窓３と、を備えている。上記外壁１の中心（胴差１１の中心）から上記室内壁２０２ａの横架材２１の中心の間の距離は、例えば、４２０ｍｍ以上で１１００ｍｍ以内とされる。また、上記窓３は、例えば、南向きの外壁１に設置されるが、南向きに限られない。
【００１９】
上記室内壁２０２ａの外側面および上記上階床２の端部２２には、光反射面として例えば、白色系の壁紙が貼られている。この壁紙は、特段高い反射率を有する必要はなく、上記窓３から入射した自然光の光量を減衰して反射する素材、すなわち、自然光をより柔らかい光にする素材で構成されていればよい。上記窓３から入射した自然光は、点線矢印で示すように、上記外壁１と上記上階床２の端部２２と上記室内壁２０２ａとによって形成される空間４を通るときに上記壁紙(光反射面)により拡散反射し、間接的に下階２０１に導かれる。上記下階２０１は、例えば、居間として利用され、上記空間４の下方となる箇所には、大画面テレビ５を設置することができる。なお、上記空間４は部屋の短辺方向に形成することに限らず、長辺方向に形成してもよい。
【００２０】
また、上記窓３は、胴差１１の上部側から上階２０２の側に入り込んだ位置に設置されている。上記窓３の高さは、例えば、５００ｍｍ〜６００ｍｍ程度とされる。また、上記窓３として滑り出し窓が用いられており、電動で開閉が行えるようになっている。上記上階床２の厚さは、例えば、４５０ｍｍ程度である。そして、上記室内壁２０２ａの上端部と上記外壁１との間の開口部（上記空間４の上端）を覆うように、作り付けまたは後付けのデスク天板（覆い部材）２０２ｂが設けられている。上記デスク天板２０２ｂは、上階２０２の幅全体に形成されていてもよいし、上記幅の一部の範囲に形成されていてもよい。上記室内壁２０２ａの床面から上記デスク天板２０２ｂまでの高さは、例えば、７００ｍｍ程度とされている。また、上記デスク天板２０２ｂの下に足入れのスペースができるように上記デスク天板２０２ｂの奥行き寸法が設定される。また、上階２０２の外壁１には、上階窓２０２ｃが取り付けられている。
【００２１】
上記デスク天板２０２ｂにおける上記空間４の上端を覆う箇所に光透過部Ｔを形成することができる。同様に、上記室内壁２０２ａに図示しない光透過部Ｔを形成することができる。上記光透過部は、例えば、幅の狭いスリットを多数配置した形状或いは幅の広い窓状の形状を有しており、透明板或いは半透明板を用いて作製することができる。
【００２２】
また、上記空間４内に光を照射する照明６を備えていてもよい。これによれば、上記空間４内に光を照射することで下階を間接的に照明することができる。この照明装置６は、上記空間４内で、例えば、上記外壁１の室内側の壁面に取り付けられる。
【００２３】
上記の構成であれば、上記窓３から入射した自然光が、上記空間４を通って間接的に下階２０１に導かれればよいので、上記空間４を形成する上記外壁１と上記上階床２の端部２２との間および上記外壁１と上記室内壁２０２ａとの間は狭くてもよいことになる。したがって、上記空間４を形成しつつ上階床面積を極力広くすることができる。また、このように上記外壁１と上記室内壁２０２ａとの間が狭くてもよいので、上階２０２の部屋から上階窓２０２ｃの開け閉めが容易に行えるようになる。
【００２４】
上記室内壁の上端部と上記外壁との間の開口部を覆うように作り付け或いは後付けで上記デスク天板２０２ｂが設けられていると、当該デスク天板２０２ｂが上階２０２の部屋を構成する構成部材となる。
【００２５】
また、上記デスク天板２０２ｂに上記光透過部Ｔを形成した構造、および上記室内壁２０２ａに上記光透過部Ｔを形成した構造であれば、上階２０２において自然光による間接照明を行うことが可能になる。
【００２６】
また、上記照明装置６を備えていると、下階２０１を間接的に照明することができる。
【００２７】
また、上記窓３が開閉可能であると、当該窓３を開けて下階２０１の換気を行うことができる。
【００２８】
図２（Ａ）に他の実施形態を示す。この実施形態では、上記空間４内に第１光反射部材７１と第２光反射部材７２が設けられている。これら光反射部材７１、７２は、上記上階床２の端部２２に沿う方向に長く形成されている。また、これら光反射部材７１、７２は電動或いは手動によって向きが変更できるように可動に設けられている。上記光反射部材７１、７２を設けておくと、光の反射回数が増えるので、より柔らかい光による間接照明を行うことが可能になる。また、下階２０１から上記空間４を見上げたときに、当該空間４内を上記光反射部材７１、７２によって見えにくくすることが可能である。また、上記光反射部材７１、７２を可動に設けると、下階２０１或いは上階２０２へ導かれる光量を調整することが可能になる。なお、上記光反射部材７１、７２に代えて、或いはこれらとともに、上記空間４の下部側にガラリを配置することで、光量を調整し、上記空間４内を見えにくくすることも可能である。
【００２９】
図２（Ａ）に示す光反射部材７１、７２の配置例であれば、点線で示す位置状態において、下階２０１へ導かれる光量が減り（より柔らかい光による間接照明が行われ）、実線で示す位置状態において、下階２０１へ導かれる光量が増える。また、実線で示す位置状態において、上階２０２へ導かれる光量が減り、点線で示す位置状態において、上階２０２へ導かれる光量が増える。また、点線で示す位置状態であれば、上記空間４内がより見えにくくなる。なお、上記空間４内において、上記横架材２１および胴差１１に交差する梁が存在する場合、この梁が持つ模様や色彩に合せてもよく、例えば、上記光反射部材７１、７２を木材等で作製することができる。
【００３０】
また、上記上階床２の端部２２における下面部２３Ａまたは側面部２３Ｂが丸みを帯びた形状を有しており、当該丸みを帯びた部位に入射した光が広がるようになっている。これによれば、上記丸みを帯びた形状の下面部２３Ａまたは側面部２３Ｂによって自然光が広がるため、下階２０１の床上等に光の明暗領域がくっきりと出来てしまうのを防止することができる。上記丸みは、例えば、丸棒材を半円に切断した部材の切断平面部を上記上階床２の端部２２の下面または側面に固定することで作製できる。
【００３１】
また、図２（Ｂ）に示すように、上記上階床２の端部２２における角部２２ａに丸みを持たせてもよい。
【００３２】
図３に他の実施形態を示す。この実施形態では、上記室内壁２０２ａの上端部と上記外壁１との間の開口部（上記空間４の上端）を覆うように、作り付け或いは後付けのベッドヘッド（覆い部材）２０２ｄが設けられている。なお、上記ベッドヘッド２０２ｄにも、上記光透過部Ｔを形成することができる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      外壁
２      上階床
２１    横架材
２２    端部
２０１  下階
２０２  上階
２０２ａ室内壁
２０２ｂデスク天板（覆い部材）
２０２ｃ上階窓
２０２ｄベッドヘッ（覆い部材）
３      窓
４      空間
６      照明装置
７１    第１光反射部材
７２    第２光反射部材
【図１】
2016108753.tif 000003
【図２】
2016108753.tif 000004
【図３】
2016108753.tif 000005